【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
金属、金属に基づく材料、金属合金、または金属合金に基づく材料からインクまたはインクに基づくマーキングを除去するための、１−クロロ−３，３，３−トリフルオロプロペンおよびＣ１−Ｃ３アルコールを含む溶媒組成物の使用。
【請求項２】
前記溶媒組成物が液体組成物である、請求項１に記載の使用。
【請求項３】
前記溶媒組成物が噴霧可能な組成物として施用される、請求項１に記載の使用。
【請求項４】
前記溶媒組成物がファブリックまたはクロスに施用され、その後、該ファブリックまたはクロスが金属、金属に基づく材料、金属合金、または金属合金に基づく材料の表面に溶媒組成物を施用するために使用される、請求項１に記載の使用。
【請求項５】
Ｃ１−Ｃ３アルコールが、メタノール、エタノール、イソプロパノール、およびそれらの組み合わせからなる群より選択される、請求項１〜４のいずれかに記載の使用。
【請求項６】
Ｃ１−Ｃ３アルコールが、メタノールである、請求項５に記載の使用。
【請求項７】
Ｃ１−Ｃ３アルコールが、エタノールである、請求項５に記載の使用。
【請求項８】
１−クロロ−３，３，３−トリフルオロプロペンが、ｃｉｓ−１−クロロ−３，３，３−トリフルオロプロペン；ｔｒａｎｓ−１−クロロ−３，３，３−トリフルオロプロペン；およびそれらの組み合わせ；からなる群より選択される、請求項１〜７のいずれかに記載の使用。
【請求項９】
１−クロロ−３，３，３−トリフルオロプロペンが、１重量％〜９９重量％の量で提供される、請求項１〜８のいずれかに記載の使用。
【請求項１０】
１−クロロ−３，３，３−トリフルオロプロペンが、５重量％〜９９重量％の量で提供される、請求項１〜８のいずれかに記載の使用。
【請求項１１】
１−クロロ−３，３，３−トリフルオロプロペンが、５重量％〜９５重量％の量で提供される、請求項１〜８のいずれかに記載の使用。
【請求項１２】
１−クロロ−３，３，３−トリフルオロプロペンが、５０重量％を超える量で提供される、請求項１〜８のいずれかに記載の使用。
【請求項１３】
前記溶媒組成物が、ｎ−ペンタン、イソペンタン、シクロペンタン、ヘキサン、およびそれらの組み合わせからなる群より選択されるＣ４−Ｃ６炭化水素を含む、請求項１〜１２のいずれかに記載の使用。
【請求項１４】
アルコールが０重量％超〜５重量％の量で提供される、請求項１〜１３のいずれかに記載の使用。
【請求項１５】
アルコールが０重量％超〜５重量％の量で提供され、炭化水素が０重量％超〜５重量％の量で提供される、請求項１３に記載の使用。
【請求項１６】
前記溶媒組成物が、さらに、Ｃ１−Ｃ３アルコールまたはＣ４−Ｃ６炭化水素以外に、共溶媒、防食剤、界面活性剤、安定剤、燃焼性抑制剤、防止剤、およびそれらの組み合わせからなる群より選択される少なくとも１つの追加的成分を含む、請求項１〜１５のいずれかに記載の使用。
【請求項１７】
追加的成分が共溶媒を含む、請求項１６に記載の使用。
【請求項１８】
追加的成分が安定剤を含む、請求項１６に記載の使用。
【請求項１９】
１−クロロ−３，３，３−トリフルオロプロペンが、ｔｒａｎｓ−１−クロロ−３，３，３−トリフルオロプロペンである、請求項１〜１８のいずれかに記載の使用。
【請求項２０】
１−クロロ−３，３，３−トリフルオロプロペンが、ｃｉｓ−１−クロロ−３，３，３−トリフルオロプロペンである、請求項１〜１８のいずれかに記載の使用。
【請求項２１】
前記溶媒組成物が、ｔｒａｎｓ−１−クロロ−３，３，３−トリフルオロプロペン及びメタノールを含む、請求項１〜１８のいずれかに記載の使用。
【請求項２２】
前記溶媒組成物が、ｃｉｓ−１−クロロ−３，３，３−トリフルオロプロペン及びエタノールを含む、請求項１〜１８のいずれかに記載の使用。
【請求項２３】
溶媒が、金属、金属に基づく材料、金属合金、または金属合金に基づく材料に対して実質的に有害な作用を及ぼさない、請求項１〜２２のいずれかに記載の使用。
【請求項２４】
金属、金属に基づく材料、金属合金、または金属合金に基づく材料からインクまたはインクに基づくマーキングを除去するための、ｃｉｓ−１−クロロ−３，３，３−トリフルオロプロペンおよびエタノールを含む溶媒組成物の使用であって、組成物の全重量に基づいて、ｃｉｓ−１−クロロ−３，３，３−トリフルオロプロペンが５０重量％を超える量で提供され、エタノールが０重量％超〜１０重量％の量で提供される、使用。
【請求項２５】
金属、金属に基づく材料、金属合金、または金属合金に基づく材料からインクまたはインクに基づくマーキングを除去するための方法であって、
インクまたはインクに基づくマーキングを表面の少なくとも一部の上に有する金属、金属に基づく材料、金属合金、または金属合金に基づく材料を提供し；
金属、金属に基づく材料、金属合金、または金属合金に基づく材料の表面のインクまたはインクに基づくマーキングを有する部分に、有効量の１−クロロ−３，３，３−トリフルオロプロペンおよびＣ１−Ｃ３アルコールを含む溶媒組成物を施用する；
ことを含み、
Ｃ１−Ｃ３アルコールの全重量が、組成物の全重量に基づいて、０重量％超〜１０重量％である、方法。
【請求項２６】
前記溶媒組成物が液体として施用される、請求項２５に記載の方法。
【請求項２７】
前記溶媒組成物が噴霧可能な組成物として施用される、請求項２５に記載の方法。
【請求項２８】
前記溶媒組成物がファブリックまたはクロスに施用され、その後、該ファブリックまたはクロスが金属、金属に基づく材料、金属合金、または金属合金に基づく材料の表面に溶媒組成物を施用するために使用される、請求項２５に記載の方法。
【請求項２９】
Ｃ１−Ｃ３アルコールが、メタノール、エタノール、イソプロパノール、およびそれらの組み合わせからなる群より選択される、請求項２５〜２８のいずれかに記載の方法。
【請求項３０】
Ｃ１−Ｃ３アルコールが、メタノールである、請求項２９に記載の方法。
【請求項３１】
Ｃ１−Ｃ３アルコールが、エタノールである、請求項２９に記載の方法。
【請求項３２】
１−クロロ−３，３，３−トリフルオロプロペンが、ｃｉｓ−１−クロロ−３，３，３−トリフルオロプロペン；ｔｒａｎｓ−１−クロロ−３，３，３−トリフルオロプロペン；およびそれらの組み合わせ；からなる群より選択される、請求項２５〜３１のいずれかに記載の方法。
【請求項３３】
１−クロロ−３，３，３−トリフルオロプロペンが、１重量％〜９９重量％の量で提供される、請求項２５〜３２のいずれかに記載の方法。
【請求項３４】
１−クロロ−３，３，３−トリフルオロプロペンが、５重量％〜９９重量％の量で提供される、請求項２５〜３２のいずれかに記載の方法。
【請求項３５】
１−クロロ−３，３，３−トリフルオロプロペンが、５重量％〜９５重量％の量で提供される、請求項２５〜３２のいずれかに記載の方法。
【請求項３６】
１−クロロ−３，３，３−トリフルオロプロペンが、５０重量％を超える量で提供される、請求項２５〜３２のいずれかに記載の方法。
【請求項３７】
前記溶媒組成物が、ｎ−ペンタン、イソペンタン、シクロペンタン、ヘキサン、およびそれらの組み合わせからなる群より選択されるＣ４−Ｃ６炭化水素を含む、請求項２５〜３６のいずれかに記載の方法。
【請求項３８】
アルコールが０重量％超〜５重量％の量で提供される、請求項２５〜３７のいずれかに記載の方法。
【請求項３９】
アルコールが０重量％超〜５重量％の量で提供され、炭化水素が０重量％超〜５重量％の量で提供される、請求項３７に記載の方法。
【請求項４０】
前記溶媒組成物が、さらに、Ｃ１−Ｃ３アルコールまたはＣ４−Ｃ６炭化水素以外に、共溶媒、防食剤、界面活性剤、安定剤、燃焼性抑制剤、防止剤、およびそれらの組み合わせからなる群より選択される少なくとも１つの追加的成分を含む、請求項２５〜３９のいずれかに記載の方法。
【請求項４１】
追加的成分が共溶媒を含む、請求項４０に記載の方法。
【請求項４２】
追加的成分が安定剤を含む、請求項４０に記載の方法。
【請求項４３】
１−クロロ−３，３，３−トリフルオロプロペンが、ｔｒａｎｓ−１−クロロ−３，３，３−トリフルオロプロペンである、請求項２５〜４２のいずれかに記載の方法。
【請求項４４】
１−クロロ−３，３，３−トリフルオロプロペンが、ｃｉｓ−１−クロロ−３，３，３−トリフルオロプロペンである、請求項２５〜４２のいずれかに記載の方法。
【請求項４５】
前記溶媒組成物が、ｔｒａｎｓ−１−クロロ−３，３，３−トリフルオロプロペン及びメタノールを含む、請求項２５〜４４のいずれかに記載の方法。
【請求項４６】
前記溶媒組成物が、ｃｉｓ−１−クロロ−３，３，３−トリフルオロプロペン及びエタノールを含む、請求項２５〜４４のいずれかに記載の方法。
【請求項４７】
溶媒が、金属、金属に基づく材料、金属合金、または金属合金に基づく材料に対して実質的に有害な作用を及ぼさない、請求項２５〜４６のいずれかに記載の方法。
【請求項４８】
金属、金属に基づく材料、金属合金、または金属合金に基づく材料からインクまたはインクに基づくマーキングを除去するための方法であって、
インクまたはインクに基づくマーキングを表面の少なくとも一部の上に有する金属、金属に基づく材料、金属合金、または金属合金に基づく材料を提供し；
金属、金属に基づく材料、金属合金、または金属合金に基づく材料の表面のインクまたはインクに基づくマーキングを有する部分に、有効量のｃｉｓ−１−クロロ−３，３，３−トリフルオロプロペンおよびエタノールを含む溶媒組成物を施用する；
ことを含み、
組成物の全重量に基づいて、ｃｉｓ−１−クロロ−３，３，３−トリフルオロプロペンが５０重量％を超える量で提供され、エタノールが０重量％超〜１０重量％の量で提供される、方法。
【手続補正２】
【補正対象書類名】明細書
【補正対象項目名】００３６
【補正方法】変更
【補正の内容】
【００３６】
実施例３：洗浄効果−金属表面
金属表面からのＤｙｋｅｍ  Ｓｔｅｅｌ  Ｂｌｕｅ  Ｌａｙｏｕｔ  Ｆｌｕｉｄ（染料）の除去を、（１）９６重量％のｔｒａｎｓ−１２３３ｚｄおよび４重量％のメタノール、および（２）９３重量％のｔｒａｎｓ−１２３３ｚｄ、２重量％のメタノールおよび５重量％のペンタンを用いて試験した。試験は、アルミニウムクーポンにＤｙｋｅｍ染料を噴霧し、該クーポンを、指定の試験洗浄溶媒を約２０〜２５ｍＬ有するセプタムスクリュートップバイアルに入れることからなっていた。結果は、ｔｒａｎｓ−１２３３ｚｄ／メタノールおよびｔｒａｎｓ−１２３３ｚｄ／メタノール／ペンタン共沸混合物によりＤｙｋｅｍ染料が除去されることを示した。混合物は両方ともＤｙｋｅｍ染料を除去することができたが、染料は異なる様式で除去されると思われた。ｔｒａｎｓ−１２３３ｚｄ／メタノールは染料を溶解したが、ｔｒａｎｓ−１２３３ｚｄ／メタノール／ペンタンブレンドは、染料を、完全に溶解することなく表面から浮き上がらせると思われた。混合物は両方とも、染料の除去に有効であることが見いだされた。
本発明は以下の態様を含む。
［１］  以下を含む、物品からインクまたはインクに基づくマーキングを除去するための溶媒組成物：
有効量の１−クロロ−３，３，３−トリフルオロプロペン；および
少なくとも１つのＣ１−Ｃ３アルコール；および
所望により、少なくとも１つのＣ４−Ｃ６炭化水素；
これに関し、Ｃ１−Ｃ３アルコールおよびＣ４−Ｃ６炭化水素の両方の全量は、該組成物の全重量に基づき０重量％超〜約１０重量％である。
［２］  １−クロロ−３，３，３−トリフルオロプロペンが、ｃｉｓ−１−クロロ−３，３，３−トリフルオロプロペン；ｔｒａｎｓ−１−クロロ−３，３，３−トリフルオロプロペン；およびそれらの組み合わせ；からなる群より選択される、［１］に記載の溶媒組成物。
［３］  １−クロロ−３，３，３−トリフルオロプロペンが、約１重量％〜約９９重量％の量で提供される、［１］に記載の溶媒組成物。
［４］  １−クロロ−３，３，３−トリフルオロプロペンが、約５重量％〜約９９重量％の量で提供される、［１］に記載の溶媒組成物。
［５］  １−クロロ−３，３，３−トリフルオロプロペンが、重量に基づき約５％〜約９５％の量で提供される、［１］に記載の溶媒組成物。
［６］  １−クロロ−３，３，３−トリフルオロプロペンが、５０重量％を超える量で提供される、［１］に記載の溶媒組成物。
［７］  Ｃ１−Ｃ３アルコールが、メタノール、エタノール、イソプロパノール、およびそれらの組み合わせからなる群より選択される、［１］に記載の溶媒組成物。
［８］  Ｃ４−Ｃ６炭化水素が、ｎ−ペンタン、イソペンタン、シクロペンタン、ヘキサン、およびそれらの組み合わせからなる群より選択される、［１］に記載の溶媒組成物。
［９］  アルコールが０重量％超〜約１０重量パーセントの量で提供される、［１］に記載の溶媒組成物。
［１０］  アルコールが０重量％超〜約５重量％の量で提供される、［１］に記載の溶媒組成物。
［１１］  アルコールが約０％超〜約５％の量で提供され、炭化水素が約０％超〜約５％の量で提供される、［１］に記載の溶媒組成物。
［１２］  さらに、Ｃ１−Ｃ３アルコールまたはＣ４−Ｃ６炭化水素以外に、共溶媒、防錆剤、界面活性剤、安定剤、燃焼性抑制剤、防止剤、およびそれらの組み合わせからなる群より選択される少なくとも１つの追加的成分を含む、［１］に記載の溶媒組成物。
［１３］  追加的成分が共溶媒を含む、［１２］に記載の溶媒組成物。
［１４］  追加的成分が安定剤を含む、［１２］に記載の溶媒組成物。
［１５］  物品または物品の表面からインクまたはインクに基づくマーキングを除去するための方法であって、
インクまたはインクに基づくマーキングを表面の少なくとも一部の上に有する物品を提供し；
物品の表面のインクまたはインクに基づくマーキングを有する部分に、有効量の１−クロロ−３，３，３−トリフルオロプロペンを含む溶媒組成物を施用し；
溶媒組成物およびインクまたはインクに基づくマーキングを物品の表面から除去する；ことを含む方法。
［１６］  溶媒組成物を液体として施用する、［１５］に記載の方法。
［１７］  溶媒組成物を噴霧可能な組成物として施用する、［１５］に記載の方法。
［１８］  溶媒組成物をファブリックまたはクロスに施用した後、これを用いて溶媒組成物を物品の表面に施用する、［１５］に記載の方法。
［１９］  物品の表面が、ポリマー、金属または金属に基づく材料、金属合金または金属合金に基づく材料、セルロースまたはセルロースに基づく材料、セルロースに基づく複合体、シリカまたはシリカに基づく材料、およびシリカに基づく複合体からなる群より選択される少なくとも１つの材料で構成される、［１５］に記載の方法。
［２０］  物品が光学レンズである、［１５］に記載の方法。
［２１］  光学レンズがポリカーボネート材料またはコーティングを包含する、［２０］に記載の方法。
［２２］  溶媒組成物がさらに、少なくとも１つのＣ１−Ｃ３アルコール；および所望により少なくとも１つのＣ４−Ｃ６炭化水素を含む、［１５］に記載の方法であって、Ｃ１−Ｃ３アルコールおよびＣ４−Ｃ６炭化水素の両方の全量が、該組成物の全重量に基づき０重量％超〜約１０重量％である、前記方法。
［２３］  Ｃ１−Ｃ３アルコールが、メタノール、エタノール、イソプロパノール、およびそれらの組み合わせからなる群より選択される、［１５］に記載の方法。
［２４］  Ｃ４−Ｃ６炭化水素が、ｎ−ペンタン、イソペンタン、シクロペンタン、ヘキサン、およびそれらの組み合わせからなる群より選択される、［１５］に記載の方法。
［２５］  アルコールが０重量％超〜約１０重量パーセントの量で提供される、［１５］に記載の方法。
［２６］  アルコールが０重量％超〜約５重量％の量で提供される、［１５］に記載の方法。
［２７］  アルコールが約０％超〜約５％の量で提供され、炭化水素が約０％超〜約５％の量で提供される、［１］に記載の溶媒組成物。
［２８］  インクまたはインクに基づくマーキングを物品または物品の表面から除去するための方法であって、
インクまたはインクに基づくマーキングを表面の少なくとも一部の上に有する物品を提供し、これに関し、インクまたはインクに基づくマーキングは、物品または物品の一部の製造中に施用されている；
物品の表面のインクまたはインクに基づくマーキングを有する部分に、有効量の１−クロロ−３，３，３−トリフルオロプロペンを含む溶媒組成物を施用し；
溶媒組成物およびインクまたはインクに基づくマーキングを物品の表面から除去する；ことを含む方法。